(57)【要約】【課題】時間の制約が厳しい場合であっても、限られた時間内に作業を完了させることができる架設方法を提供する。【解決手段】一実施形態に係る架設方法は、軌きょうが載せられた軌道の工事桁１を架設する架設方法であって、工事桁１に、軌きょう１１を含む軌きょう仮受け桁１０を設置する工程と、軌きょう仮受け桁１０が一時的に載せられた状態において、工事桁１を架設して軌道を復旧する工程と、工事桁１から軌きょう仮受け桁１０を撤去する工程と、工事桁１の内部に騒音低減部材を搬入する工程と、騒音低減部材の上に軌きょうを設置する工程と、を備える。【選択図】図５
2020084688.tif 000002
【特許請求の範囲】
【請求項１】
軌きょうが載せられた軌道の工事桁を架設する架設方法であって、
前記工事桁に、軌きょうを含む軌きょう仮受け桁を設置する工程と、
前記軌きょう仮受け桁が一時的に載せられた状態において、前記工事桁を架設して前記軌道を復旧する工程と、
前記工事桁から前記軌きょう仮受け桁を撤去する工程と、
前記工事桁の内部に騒音低減部材を搬入する工程と、
前記騒音低減部材の上に軌きょうを設置する工程と、
を備える架設方法。
【請求項２】
前記騒音低減部材は、複数の粒状体を含んでおり、
前記騒音低減部材を搬入する工程の後に、前記複数の粒状体を敷きならす工程を行う、
請求項１に記載の架設方法。
【請求項３】
前記複数の粒状体は、バラストを含む、
請求項２に記載の架設方法。
【請求項４】
前記軌きょう仮受け桁を設置する工程の後に、前記軌きょう仮受け桁と共に前記工事桁を吊り上げる工程を備える、
請求項１〜３のいずれか一項に記載の架設方法。
【請求項５】
前記工事桁を吊り上げる工程では、前記軌きょう仮受け桁に剛結された吊り治具を直接吊り上げる、
請求項４に記載の架設方法。
【発明の詳細な説明】
【技術分野】
【０００１】
本発明は、軌きょうが載せられた鉄道の工事桁を架設する架設方法に関する。
【背景技術】
【０００２】
軌きょうが載せられた鉄道の工事桁としては、従来から種々のものが知られている。特許文献１には、複数の軌道の下において複数の軌道を支持する工事桁を備える。軌道は、バラストによって形成される道床と、道床の上に配置される複数の枕木と、枕木の上に配置される一対のレールとを含んでいる。工事桁は、レールの直交方向に延びる複数の受桁と、複数の受桁の上部においてレールに沿って延在する複数の有道床桁とを備える。
【０００３】
有道床桁は、レールの直交方向に延びる複数の主桁と、複数の主桁上に配置されて上部に開口を有する箱状を成す複数の箱桁とを備える。箱桁は鋼製とされており、箱桁の内部にはバラストが収容される。箱桁の内部に収容されたバラストは、前述した道床の一部を構成する。箱桁の底面上にはゴム製のバラストマットが敷かれており、箱桁の内側面及び底面には三角形状且つリブ状の複数の補強部材が配置されている。
【０００４】
前述した工事桁の架設方法では、まず、軌道から見て左右両側に位置する地盤のそれぞれにレールの直交方向に延びる仮受杭列を配置し、各仮受杭列上に仮受桁を設置する。この仮受桁は、地面より下方に配置される。次に、受桁の設置予定場所に対応する部分の軌道を撤去し、バックホーを用いて当該設置予定場所の地盤を掘削して凹部を形成し、この凹部の内部に複数の受桁のそれぞれを順次配置する。その後、有道床桁をクレーンで吊り上げて複数の受桁の間に有道床桁を設置する。特許公報１には、有道床桁をクレーンで吊り上げる前に箱桁内にバラストが投入される例、及び箱桁内にバラストを投入せずに有道床桁を複数の受桁の間に配置する例、のそれぞれが記載されている。
【先行技術文献】
【特許文献】
【０００５】
【特許文献１】特開２０１５−１２４４７６号公報
【発明の概要】
【発明が解決しようとする課題】
【０００６】
前述したように、箱桁内にバラストを投入した状態で有道床桁を吊り上げる場合、工事桁の重量若しくは工事桁の大きさ、又はクレーンの性能によって吊り上げることができない場合がある。また、箱桁内に事前にバラストを投入する必要があるため、軌道復旧作業に時間がかかる。一方、箱桁内にバラストを投入せずに有道床桁を複数の受桁の間に配置する場合、有道床桁を配置した後にバラストを投入する必要があるため、この場合も架設の作業に時間がかかる。
【０００７】
また、鉄道の工事桁の架設作業は一般的に夜間に行われることが多く、限られた時間内に架設作業を完了させなければならないこともある。昼間に鉄道車両を通して夜間に架設作業を完了させる場合には、架設作業の各工程を速やかに実行することが求められる。このように、鉄道の工事桁の架設作業では時間の制約が厳しく限られた時間内に作業を完了させることが求められる。
【０００８】
本発明は、前述した問題に鑑みてなされたものであり、時間の制約が厳しい場合であっても、限られた時間内に作業を完了させることができる架設方法を提供することを目的とする。
【課題を解決するための手段】
【０００９】
本発明に係る架設方法は、軌きょうが載せられた軌道の工事桁を架設する架設方法であって、工事桁に、軌きょうを含む軌きょう仮受け桁を設置する工程と、軌きょう仮受け桁が一時的に載せられた状態において、工事桁を架設して軌道を復旧する工程と、工事桁から軌きょう仮受け桁を撤去する工程と、工事桁の内部に騒音低減部材を搬入する工程と、騒音低減部材の上に軌きょうを設置する工程と、を備える。
【００１０】
この架設方法では、軌きょうを含む軌きょう仮受け桁を工事桁に設置し、この工事桁を架設して軌道を復旧させる。従って、この架設方法では、軌道を復旧させる前における騒音低減部材の搬入作業等を省略することができると共に、工事桁への軌きょう仮受け桁の設置、及び軌道の復旧を容易に且つ速やかに行うことができる。また、軌道の復旧前における騒音低減部材の搬入を省略でき、工事桁を容易に吊り上げることができるので、工事桁の架設、及び軌道の復旧を速やかに行うことができる。この架設方法では、軌きょう仮受け桁が一時的に載せられた状態において軌道が復旧する。従って、軌きょう仮受け桁が載せられた状態で軌道を復旧させることができるので、例えば夜間に軌きょう仮受け桁の設置を行って朝から鉄道車両を通すことができる。更に、軌道を復旧させた後には、工事桁から軌きょう仮受け桁を撤去して、工事桁の内部に騒音低減部材を搬入し、騒音低減部材の上に軌きょうを設置する。このように、騒音低減部材の搬入、及び騒音低減部材の上への軌きょうの設置を行うことにより、鉄道車両の軌道走行時における騒音を低減させることができる。また、工事桁から軌きょう仮受け桁を撤去する作業、騒音低減部材の搬入の作業、及び騒音低減部材の上への軌きょうの設置の作業では、桁等を吊り上げる作業を省略できるので、作業の各工程を速やかに行うことができる。従って、時間の制約が厳しい場合であっても限られた時間内に作業を完了させることができる。
【００１１】
また、前述の架設方法において、騒音低減部材は、複数の粒状体を含んでおり、騒音低減部材を搬入する工程の後に、複数の粒状体を敷きならす工程を行ってもよい。この場合、騒音低減部材が複数の粒状体を含むことにより、複数の粒状体において音を分散させることができるので、騒音の低減をより効果的に行うことができる。また、騒音低減部材が複数の粒状体を含む場合、工事桁の内部で複数の粒状体を敷きならすことによって、騒音低減部材の配置を容易に行うことができる。従って、騒音低減部材の配置の作業をより速やかに行うことができる。
【００１２】
また、複数の粒状体は、バラストを含んでもよい。この場合、バラストの投入、及びバラストの敷きならしを容易に行うことができるので、騒音低減部材の配置をより速やかに行うことができる。
【００１３】
また、軌きょう仮受け桁を設置する工程の後に、軌きょう仮受け桁と共に工事桁を吊り上げる工程を備えてもよい。この場合、軌きょう仮受け桁と共に工事桁を吊り上げるので、工事桁の架設をより速やかに行うことができる。
【００１４】
また、工事桁を吊り上げる工程では、軌きょう仮受け桁に剛結された吊り治具を直接吊り上げてもよい。この場合、軌きょう仮受け桁に剛結された吊り治具を介して軌きょう仮受け桁と共に工事桁が吊り上げられるので、工事桁及び軌きょう仮受け桁の吊り上げを安定して行うことができる。具体的には、例えばワイヤで軌きょう仮受け桁と共に工事桁を吊り上げる場合には、吊り上げ時にワイヤと工事桁にかかる力が大きくなり安定した吊り上げを行うことが困難となる場合がある。また、鉄道の夜間工事では、高所に架線が設けられることがあり、この架線を移動できないことによって高さ等の空間の制約が厳しい場合がある。このような場合において、ワイヤで吊り上げを行うときには、ワイヤ長の分の高さが生じるため、高さに制約がある場所に工事桁を容易に移動できないという問題が生じうる。これに対し、軌きょう仮受け桁に剛結された吊り治具を直接吊り上げる場合には、上記のワイヤを不要とすることができるため、空間の制約が厳しい場合であっても、高さに制約がある場所に工事桁を容易に移動させることができる。更に、軌きょう仮受け桁を介して工事桁に剛結された吊り治具を直接吊り上げることにより、吊り上げ時に工事桁にかかる力を低減することができるので、安定した吊り上げを行うことができる。従って、更なる作業時間の短縮に寄与する。
【発明の効果】
【００１５】
本発明によれば、時間の制約が厳しい場合であっても、限られた時間内に作業を完了させることができる。
【図面の簡単な説明】
【００１６】
【図１】実施形態に係る架設方法が適用される工事現場の例を示す平面図である。
【図２】図１の工事現場の側面図である。
【図３】図１の工事現場に配置されたクレーンが軌きょう仮受け桁及び工事桁を吊り上げる状態の例を示す側面図である。
【図４】図３のクレーンのフック、軌きょう仮受け桁及び工事桁を拡大させた側面図である。
【図５】図４の軌きょう仮受け桁及び工事桁を示す側面図である。
【図６】図５の軌きょう仮受け桁及び工事桁の接合部分を拡大させた側面図である。
【図７】実施形態に係る架設方法の各工程の例を示すフローチャートである。
【図８】架設作業完了後の工事桁及び軌きょうの例を示す側面図である。
【図９】図８の工事桁及び軌きょうを架設する架設方法の各工程の例を示すフローチャートである。
【発明を実施するための形態】
【００１７】
以下では、図面を参照しながら、本発明に係る架設方法の実施形態について説明する。図面の説明において、同一又は相当する要素には同一の符号を付し、重複する説明を適宜省略する。また、図面は、理解を容易にするため、一部を簡略化又は誇張して描いている場合があり、寸法等は図面に記載のものに限定されない。
【００１８】
図１は、実施形態に係る架設方法が適用される例示的な工事現場Ａを示す平面図である。図２は、図１の工事現場Ａの側面図である。工事現場Ａでは、鉄道工事桁である工事桁１を架設する作業が行われる。例えば、工事現場Ａでは、鉄道の高架化の工事が行われ、複数の工事桁１がクレーンＣによって架設される。一例として、工事現場Ａでは、高所にある駅舎機能を地下に移動させて地下にボックスカルバートを構築する工事が行われる。
【００１９】
工事桁１は、例えば、軌きょう１１を含む軌きょう仮受け桁１０を備えており、工事現場Ａでは、軌道を仮受する複数の工事桁１が架設される。「軌きょう仮受け桁」とは、軌きょう１１を含むと共に一時的に配置される、すなわち、軌道を一時的に形成する桁を示しており、工事の進行に伴って撤去される。本実施形態では、当該駅舎を通過する急行線の有道床式工事桁を敷設し、有道床式工事桁を構成する工事桁１の内部には後述する騒音低減部材２０（図８参照）が収容される。これにより、鉄道車両が当該駅舎を通過するときの騒音を低減することが可能である。
【００２０】
工事現場Ａには、例えば、高架橋Ｂが設けられており、クレーンＣによる作業は高架橋Ｂの下で行われる。また、工事現場Ａを通る鉄道では、例えば、架空電車線方式が採用されており、鉄道車両が通る空間の上部には集電のための架線Ｌが張られている。クレーンＣは、アウトリガＣ１を張り出した状態で工事桁１を吊り上げて架線Ｌの下に工事桁１を移動させるが、架線Ｌの高さＨ１は５ｍ程度であるため、作業空間の高さの制約が厳しい。
【００２１】
図２及び図３に示されるように、クレーンＣは、例えば、入れ子式であると共に互いに伸縮可能とされた複数のブームＣ２を備える。クレーンＣは、一例として、１００ｔオールテレーンクレーンであり、クレーンＣの作業半径は１２ｍ、ブームＣ２の長さは１４．８ｍ、定格総荷重は２０．４ｔ、吊荷重は１７．１ｔである。
【００２２】
例えば、クレーンＣの先端部Ｃ３にはブームヘッドＣ３１が設けられており、ブームヘッドＣ３１の上部及び下部のそれぞれにシーブＣ３２が設けられる。シーブＣ３２にはワイヤロープＣ３３が掛けられており、ワイヤロープＣ３３にフックＦが吊られている。フックＦは、ワイヤロープＣ３３が掛けられるフックブロックＦ１と、後述する吊り治具３０が掛けられるフック部Ｆ２とを備える。
【００２３】
クレーンＣには巻きしろＷの最小値が定められており、一例として、巻きしろＷの最小値は８５ｃｍ程度である。クレーンＣで工事桁１を吊り上げるときには巻きしろＷを確保しなければならないため、工事桁１を含む吊り上げ対象物の高さをできるだけ抑えることが求められる。
【００２４】
図４に示されるように、本実施形態では、工事桁１に軌きょう仮受け桁１０が剛結されると共に、軌きょう仮受け桁１０に吊り治具３０が剛結される。そして、軌きょう仮受け桁１０に剛結された吊り治具３０を直接クレーンＣで吊り上げることによって、工事桁１を含む吊り上げ対象物の高さＨ２を抑えている。ここで、「吊り治具を直接吊り上げる」とは、吊り上げを行うときに吊り治具３０とフックＦ（フック部Ｆ２）との間に別の部材が介在しないことを意味する。
【００２５】
これに対し、工事桁１に掛けられたワイヤをフック部Ｆ２に掛けて吊り上げを行う場合には、ワイヤの高さ分だけ吊り上げ対象物の高さが高くなる。一方、本実施形態では、軌きょう仮受け桁１０に剛結された吊り治具３０を直接吊り上げるので、ワイヤを吊り上げる場合よりも高さＨ２を抑えることが可能となる。例えば、吊り治具３０は工事桁１の幅方向（図４の左右方向）に沿って延びる玉掛け吊具であり、フック部Ｆ２が掛けられるピン３１を備える。一例として、ピン３１は吊り治具３０の表面から突出しており、吊り治具３０はフック部Ｆ２に掛けられる一対のピン３１を備える。
【００２６】
図５は、軌きょう仮受け桁１０及び工事桁１を示す側面図である。図６は、図５の軌きょう仮受け桁１０と工事桁１との接合部分を拡大させた図である。図５及び図６に示されるように、工事桁１は、下端で軌きょう１１のレール１１ａに沿って延びる一対の主桁２と、主桁２の上部で工事桁１の幅方向（図５の左右方向）に延びる床版受桁３と、工事桁１の幅方向の両端のそれぞれにおいて床版受桁３から上方に突出する一対の側壁部４とを備える。主桁２は、例えば、Ｈ鋼である。一対の主桁２の間に、工事桁１の幅方向に延びる補強桁５が設けられていてもよい。この場合、一対の主桁２の一方に補強桁５の一端が連結され、一対の主桁２の他方に補強桁５の他端が連結される。
【００２７】
例えば、一対の側壁部４の間に軌きょう１１を含む軌きょう仮受け桁１０が固定される。具体的には、床版受桁３の上面には敷鉄板６が設けられており、軌きょう仮受け桁１０は敷鉄板６及び床版受桁３にボルトＶ１及びナットＮ１によって固定される。軌きょう仮受け桁１０は、軌きょう１１と、軌きょう１１を支持する軌きょう支持部材１２とを備える。軌きょう支持部材１２は、敷鉄板６の上面に接触する板材１２ａと、板材１２ａの上部に設けられる一対のＨ鋼１２ｂとを有する。
【００２８】
軌きょう支持部材１２は、工事桁１に固定される２枚の板材１２ａと。板材１２ａに固定される４本のＨ鋼１２ｂとを備える。但し、板材１２ａ及びＨ鋼１２ｂの数及び配置態様は適宜変更可能である。Ｈ鋼１２ｂ及び板材１２ａが敷鉄板６及び床版受桁３にボルトＶ１及びナットＮ１で固定されることにより、工事桁１に軌きょう仮受け桁１０が固定される。
【００２９】
軌きょう１１は、レール１１ａと、レール１１ａの下方において工事桁１の幅方向に延びる枕木１１ｂと、枕木１１ｂにレール１１ａを固定するタイプレート１１ｃ及び板ばね１１ｄとを備える。タイプレート１１ｃは枕木１１ｂの上面に、例えばネジ釘Ｎ２によって固定されており、タイプレート１１ｃの上面にはレール１１ａの移動を規制する一対の突出部１１ｅが形成されている。
【００３０】
レール１１ａは、下端に位置するフランジ部１１ｆが一対の突出部１１ｅの間に入り込んだ状態で固定されている。板ばね１１ｄは、レール１１ａのフランジ部１１ｆの上面から斜め上方且つレール１１ａから離れる方向に延在しており、ボルトＶ２及びナットＮ３によってタイプレート１１ｃに固定されている。一対の板ばね１１ｄのそれぞれは、レール１１ａのフランジ部１１ｆの上面に当接している。
【００３１】
枕木１１ｂには、軌きょう１１と軌きょう支持部材１２とを連結する連結部材１３が挿通されている。例えば、連結部材１３は、枕木１１ｂに挿通されるフックボルト１３ａと、枕木１１ｂの上面に載せられるワッシャ１３ｂと、ワッシャ１３ｂの上面においてフックボルト１３ａが螺合する複数（例えば２個）のナット１３ｃとを備える。フックボルト１３ａの下端には軌きょう支持部材１２が掛けられるフック部１３ｄが設けられる。
【００３２】
軌きょう支持部材１２のＨ鋼１２ｂのフランジ部１２ｃがフック部１３ｄに掛けられると共に、フランジ部１２ｃがフック部１３ｄと枕木１１ｂの下面との間に挟まれることによって、軌きょう１１と軌きょう支持部材１２とが互いに連結される。連結部材１３は、工事桁１の幅方向の両端側に一対に設けられる。連結部材１３は、当該幅方向の両端側に位置する一対のＨ鋼１２ｂを強固に保持することによって軌きょう１１及び軌きょう支持部材１２を互いに強固に連結する。
【００３３】
次に、本実施形態に係る工事桁の架設方法の例について説明する。本実施形態に係る架設方法は、工事桁の架設を２日に分けて行う。すなわち、本実施形態では、工事桁の架設を２回に分けて行う２段階施工を行う。例えば、工事桁１に軌きょう仮受け桁１０を設置する工程と軌道を復旧する工程とを１日目に実行し、軌きょう仮受け桁１０を撤去する工程と騒音低減部材２０を搬入する工程と軌きょうを設置する工程とを２日目に実行する。また、２日に分けて行う作業のそれぞれは、共に、夜間に行い、具体的には、終電時刻から始発時刻までの間に実行する。まず、図７に示されるフローチャート等を参照しながら１日目の作業について説明する。
【００３４】
最初に、終電の確認を行い、破線の準備、及びバラストの掘削の準備を行った後に、破線及び各部材を撤去する工程を実行する（ステップＳ１１）。このとき、線路の閉鎖及び停電を確認した後に、破線、枕木の撤去及び掘削を行ってもよい。そして、工事桁１に軌きょう仮受け桁１０を設置する工程を実行する（ステップＳ１２）。このとき、工事桁１に軌きょう仮受け桁１０を剛結する。
【００３５】
なお、図４、図５及び図６に示されるように、予め軌きょう仮受け桁１０を組み立てると共に軌きょう仮受け桁１０に吊り治具３０を剛結した状態として、軌きょう仮受け桁１０を工事桁１に剛結してもよい。工事桁１への軌きょう仮受け桁１０の剛結は、敷鉄板６の上に軌きょう支持部材１２の板材１２ａを載置し、ボルトＶ１をＨ鋼１２ｂ、板材１２ａ、敷鉄板６及び床版受桁３に挿通すると共にボルトＶ１をナットＮ１にねじ込むことによって行う。
【００３６】
次に、工事桁１、軌きょう仮受け桁１０及び吊り治具３０を吊り上げる工程を実行する（ステップＳ１３）。このとき、図２、図３及び図４に示されるように、吊り治具３０の各ピン３１にフックＦのフック部Ｆ２を引っ掛けて、クレーンＣのブームＣ２の先端部Ｃ３を上げることによって工事桁１、軌きょう仮受け桁１０及び吊り治具３０を吊り上げる。なお、前述したように、架線Ｌの高さＨ１は５ｍ程度であって作業空間の高さの制約が厳しいため、クレーンＣの先端部Ｃ３が架線Ｌに干渉しないように十分注意して作業を行う。
【００３７】
その後、軌道の復旧を行う（ステップＳ１４）。具体的には、図５に示されるように、吊り上げた工事桁１、軌きょう仮受け桁１０及び吊り治具３０を所定の箇所に移動させて吊り治具３０を撤去し、クレーンＣを搬出した後に軌道を復旧する。軌道の復旧では、各種ボルトの締結、軌きょう１１の位置の微調整、清掃及び後確認を行った後に、鉄道の営業を開始してもよい。以上のステップＳ１１からステップＳ１４までの１日目の作業は例えば３時間以内に完了する。
【００３８】
次に、図８、及び図９に示されるフローチャート等を参照しながら２日目の作業について説明する。２日目の作業では、例えば図８に示されるように、工事桁１の内部に騒音低減部材２０を搬入して有道床式工事桁の構築を完了させる。騒音低減部材２０は工事桁１の路床を構成している。例えば、２日目の作業では、クレーンを用いた吊りに関する作業を行わない。２日目の作業では、まず終電の確認を行い、破線を行った後に、工事桁１から軌きょう仮受け桁１０を撤去する工程を実行する（ステップＳ２１）。このとき、例えばボルトＶ１及びナットＮ１を外して工事桁１から軌きょう仮受け桁１０を外すと共に、軌きょう仮受け桁１０を分解した後に工事桁１から軌きょう仮受け桁１０を撤去してもよい。
【００３９】
次に、工事桁１の内部に騒音低減部材２０を搬入する工程を実行する（ステップＳ２２）。このとき、図８に示されるように、軌きょう仮受け桁１０が撤去された工事桁１の内部、すなわち、工事桁１の床版受桁３及び一対の側壁部４に囲まれた空間に騒音低減部材２０を搬入する。例えば、騒音低減部材２０は複数の粒状体２１とマット２２とを含んでおり、一例として、複数の粒状体２１はバラスト、マット２２はバラストマットである。ステップＳ２２では、マット２２を床版受桁３（敷鉄板６）の上に配置し、その後、マット２２の上に複数の粒状体２１を投入する。
【００４０】
複数の粒状体２１の投入は粒状体２１が側壁部４の上部に達するまで行い、粒状体２１の投入時又は粒状体２１の投入後には複数の粒状体２１を敷きならす（複数の粒状体を敷きならす工程）。敷きならす工程を実行した後には、騒音低減部材２０の上に軌きょうを設置する工程を実行する（ステップＳ２３）。当該軌きょうは枕木ＭとレールＲとを備えており、ステップＳ２３では、枕木Ｍの配列を行ってもよい。その後、軌道の復旧を行う（ステップＳ２４）。具体的には、軌きょう（枕木Ｍ及びレールＲ）の位置の微調整、清掃及び後確認を行った後に、鉄道の営業を開始してもよい。以上のステップＳ２１からステップＳ２４までの２日目の作業は例えば３時間以内に完了する。
【００４１】
次に、本実施形態に係る工事桁１の架設方法の作用効果について詳細に説明する。図５に示されるように、本実施形態に係る架設方法では、軌きょう１１を含む軌きょう仮受け桁１０を工事桁１に設置し、この工事桁１を架設して軌道を復旧させる。従って、この架設方法では、軌道を復旧させる前における騒音低減部材の搬入作業等を省略することができるので、工事桁１への軌きょう仮受け桁１０の設置、及び軌道の復旧を容易に且つ速やかに行うことができる。
【００４２】
また、軌道の復旧前における騒音低減部材の搬入を省略でき、工事桁１を容易に吊り上げることができるので、工事桁１の架設、及び軌道の復旧を速やかに行うことができる。この架設方法では、軌きょう仮受け桁１０が一時的に載せられた状態において軌道が復旧する。従って、軌きょう仮受け桁１０が載せられた状態で軌道を復旧させることができるので、夜間に軌きょう仮受け桁１０の設置を行って朝から鉄道車両を通すことができる。
【００４３】
更に、軌道を復旧させた後には、図８に示されるように、工事桁１から軌きょう仮受け桁１０を撤去して、工事桁１の内部に騒音低減部材２０を搬入し、騒音低減部材２０の上に軌きょう（枕木Ｍ及びレールＲ）を設置する。このように、騒音低減部材２０の搬入、及び騒音低減部材２０の上への軌きょうの設置を行うことにより、鉄道車両の軌道走行時における騒音を低減させることができる。
【００４４】
また、工事桁１から軌きょう仮受け桁１０を撤去する作業、騒音低減部材２０の搬入の作業、及び騒音低減部材２０の上への軌きょうの設置を含む２日目の作業では、桁等を吊り上げる作業を省略できるので、作業の各工程を速やかに行うことができる。従って、時間の制約が厳しい場合であっても夜間線路閉鎖間合いの時間内に作業を完了させることができる。
【００４５】
また、本実施形態に係る架設方法において、騒音低減部材２０は、複数の粒状体２１を含んでおり、騒音低減部材２０を搬入する工程の後に、複数の粒状体２１を敷きならす工程を行う。よって、騒音低減部材２０が複数の粒状体２１を含むことにより、複数の粒状体２１において音を分散させることができるので、騒音の低減をより効果的に行うことができる。また、騒音低減部材２０が複数の粒状体２１を含む場合、工事桁１の内部で複数の粒状体２１を敷きならすことによって、騒音低減部材２０の配置を容易に行うことができる。従って、騒音低減部材２０の配置の作業をより速やかに行うことができる。
【００４６】
また、本実施形態に係る騒音低減部材２０の粒状体２１は、バラストであってもよい。この場合、バラストの投入、及びバラストの敷きならしを容易に行うことができるので、騒音低減部材２０の配置をより速やかに行うことができる。
【００４７】
また、本実施形態に係る架設方法では、図２に示されるように、軌きょう仮受け桁１０を設置する工程の後に、軌きょう仮受け桁１０と共に工事桁１を吊り上げる工程を備える。よって、軌きょう仮受け桁１０と共に工事桁１を吊り上げるので、工事桁１の架設をより速やかに行うことができる。
【００４８】
また、本実施形態に係る架設方法において、工事桁１を吊り上げる工程では、軌きょう仮受け桁１０に剛結された吊り治具３０を直接吊り上げる。よって、軌きょう仮受け桁１０に剛結された吊り治具３０を介して軌きょう仮受け桁１０と共に工事桁１が吊り上げられるので、工事桁１及び軌きょう仮受け桁１０の吊り上げを安定して行うことができる。
【００４９】
具体的には、例えばワイヤで軌きょう仮受け桁と共に工事桁を吊り上げる場合には、吊り上げ時にワイヤと工事桁にかかる力が大きくなり安定した吊り上げを行うことが困難となる場合がある。また、鉄道の夜間工事では、高所に架線Ｌが設けられることがあり、この架線Ｌを移動できないことによって高さ等の空間の制約が厳しい場合がある。このような場合において、ワイヤで吊り上げを行うときには、ワイヤ長の分の高さが生じるため、高さに制約がある場所に工事桁を容易に移動できないという問題が生じうる。
【００５０】
これに対し、軌きょう仮受け桁１０に剛結された吊り治具３０を直接吊り上げる場合には、上記のワイヤを不要とすることができるため、空間の制約が厳しい場合であっても、高さに制約がある場所に工事桁１を容易に移動させることができる。更に、軌きょう仮受け桁１０を介して工事桁１に剛結された吊り治具３０を直接吊り上げることにより、吊り上げ時に工事桁１にかかる力を低減することができるので、安定した吊り上げを行うことができる。従って、更なる作業時間の短縮に寄与する。
【００５１】
以上、本発明に係る架設方法の実施形態について説明したが、本発明は、前述した実施形態に限定されるものではなく、各請求項に記載した要旨を変更しない範囲において変形し、又は他のものに適用したものであってもよい。すなわち、架設方法の各工程の内容及び順序、並びに、工事桁、軌きょう仮受け桁、騒音低減部材及び吊り治具のそれぞれの形状、大きさ、材料、数及び配置態様は、上記の要旨を変更しない範囲において適宜変更可能である。
【００５２】
例えば、前述の実施形態では、主桁２、床版受桁３、側壁部４、補強桁５及び敷鉄板６を備える工事桁１について説明した。しかしながら、主桁、床版受桁、側壁部、補強桁及び敷鉄板の形状、大きさ、材料、数及び配置態様は適宜変更可能である。また、主桁、床版受桁、側壁部、補強桁及び敷鉄板の少なくともいずれかが省略された工事桁であってもよい。
【００５３】
また、前述の実施形態では、軌きょう１１、軌きょう支持部材１２及び連結部材１３を備える軌きょう仮受け桁１０について説明した。しかしながら、軌きょう、軌きょう支持部材及び連結部材の形状、大きさ、材料、数及び配置態様は適宜変更可能である。例えば、板材１２ａ及びＨ鋼１２ｂの少なくともいずれかを有しない軌きょう支持部材であってもよいし、フックボルト１３ａ以外の連結手段を備えた連結部材であってもよい。
【００５４】
また、前述の実施形態では、バラストである粒状体２１、及びバラストマットであるマット２２を備える騒音低減部材２０について説明した。しかしながら、粒状体２１はバラスト以外の粒状体であってもよいし、粒状体以外の騒音低減部材であってもよい。また、マット２２を省略することも可能である。
【００５５】
また、前述の実施形態では、ピン３１を備える吊り治具３０を剛結させる例について説明した。しかしながら、吊り治具の形状、大きさ、数、材料及び配置態様についても適宜変更可能である。例えば、ピン３１以外の引掛部を備えた吊り治具であってもよい。
【００５６】
また、前述の実施形態では、高架橋Ｂが設けられた工事現場Ａについて説明した。しかしながら、本発明に係る架設方法は、工事現場Ａ以外の現場に適用させることも可能である。更に、工事桁を吊り上げるクレーンについても、前述したクレーンＣに限定されず、適宜変更可能である。
【符号の説明】
【００５７】
１…工事桁、２…主桁、３…床版受桁、４…側壁部、５…補強桁、６…敷鉄板、１０…軌きょう仮受け桁、１１…軌きょう、１１ａ…レール、１１ｂ…枕木、１１ｃ…タイプレート、１１ｄ…板ばね、１１ｅ…突出部、１１ｆ…フランジ部、１２…軌きょう支持部材、１２ａ…板材、１２ｂ…Ｈ鋼、１２ｃ…フランジ部、１３…連結部材、１３ａ…フックボルト、１３ｂ…ワッシャ、１３ｃ…ナット、１３ｄ…フック部、２０…騒音低減部材、２１…粒状体、２２…マット、３０…吊り治具、３１…ピン、Ａ…工事現場、Ｂ…高架橋、Ｃ…クレーン、Ｃ１…アウトリガ、Ｃ２…ブーム、Ｃ３…先端部、Ｃ３１…ブームヘッド、Ｃ３２…シーブ、Ｃ３３…ワイヤロープ、Ｆ…フック、Ｆ１…フックブロック、Ｆ２…フック部、Ｌ…架線、Ｍ…枕木、Ｎ１，Ｎ３…ナット、Ｎ２…ネジ釘、Ｒ…レール、Ｖ１，Ｖ２…ボルト。
【図１】
2020084688.tif 000003
【図２】
2020084688.tif 000004
【図３】
2020084688.tif 000005
【図４】
2020084688.tif 000006
【図５】
2020084688.tif 000007
【図６】
2020084688.tif 000008
【図７】
2020084688.tif 000009
【図８】
2020084688.tif 000010
【図９】
2020084688.tif 000011